(57)【要約】【課題】本発明は、比較的小さな背板であっても、好適に撓ませて背凭れ感を向上することが可能な背板を有する椅子を提供することを課題とする。【解決手段】上記課題を解決すべく、本発明の請求項１に記載の発明は、脚の上部に支持された座の後方より上方に設けられる背フレームに、背板を取り付け支持する椅子であって、前記背板が、左右両側に下向き開口した筒部を有するとともに、前記背板の下部を楔形に下向き突出させ、前記背フレームが、前記背板の下部が嵌まり込む谷形に上向き拡開させた左右一対の支持杆を有し、該支持杆の上部を、前記筒部の開口より嵌挿するとともに、背板の楔形をなす下部の頂部を、前記谷形をなす支持杆の底部に固着したことを特徴とする、椅子である。【選択図】図１
2011125545.tif 000002
【特許請求の範囲】
【請求項１】
脚の上部に支持された座の後方より上方に設けられる背フレームに、背板を取り付け支持する椅子であって、
前記背板が、左右両側に下向き開口した筒部を有するとともに、前記背板の下部を楔形に下向き突出させ、
前記背フレームが、前記背板の下部が嵌まり込む谷形に上向き拡開させた左右一対の支持杆を有し、該支持杆の上部を、前記筒部の開口より嵌挿するとともに、背板の楔形をなす下部の頂部を、前記谷形をなす支持杆の底部に固着したことを特徴とする、椅子。
【請求項２】
脚の上部に支持された座の後方より上方に設けられる背フレームに、背板を取り付け支持する椅子であって、
前記背板が、左右両側に下向き開口した筒部を有するとともに、前記背板の下部を楔形に下向き突出させ、
前記背フレームが、前記背板の下部が嵌まり込む谷形に上向き拡開させた左右一対の支持杆を有し、該支持杆の上部を、前記筒部の開口より嵌挿して固着するとともに、背板の楔形をなす下部の頂部を、前記谷形をなす支持杆の底部に固着したことを特徴とする、椅子。
【請求項３】
前記背板の楔形をなす下部の頂部より下向きに延出した固着片を設け、前記背フレームにおける谷形をなす支持杆の底部の前面に当接させて固着したことを特徴とする、請求項１または２に記載の椅子。
【請求項４】
前記支持杆が円杆からなり、背板の楔形をなす下部の左右両側縁に沿って形成した窪みに支持杆の内側面が嵌まり込むようにしたことを特徴とする、請求項１乃至３に記載の椅子。
【請求項５】
請求項１乃至４に記載の椅子であって、
床面に固定されたベースから起立する支柱から、前記背フレームが延設され、
前記支柱を、前記ベースに左右方向の枢軸をもって回動自在に軸支して、前記支柱を、前後方向へ傾倒自在に形成するとともに、座の傾倒により使用位置と不使用位置とに可変することを特徴とする、椅子。
【発明の詳細な説明】
【技術分野】
【０００１】
本発明は、背板を有する椅子に関し、特に、良好な背凭れ感を奏することが可能な背板を有する椅子に関する。
【背景技術】
【０００２】
従来、講義室等の床面に予め固定して配置された椅子や机が知られている。このような、机と椅子は、主に、多数の人が着座する学校の講義室や国際会議場などで用いられており、限られた空間で、最大限の座席数を確保することができるといった利点がある。（例えば、特許文献１）
【０００３】
しかしながら、上記のような椅子は、横方向に多数の椅子を並べて配置することから、椅子の幅が限られており、大きな背板を取り付けることが難しく、各々の椅子の背板が比較的小さいため、十分な背凭れ感が得られにくいといった問題がある。
【０００４】
また、背板の形状としては、略四角形のものが多く、背フレームに背板を取り付ける際に、左右の上下４点支持であり、背板を好適に撓ませることが困難であった。（例えば、特許文献２）
【０００５】
【特許文献１】特許第４２５６１３９号公報
【特許文献２】特許第４１１９２２６号公報
【発明の概要】
【発明が解決しようとする課題】
【０００６】
本発明は、比較的小さな背板であっても、好適に撓ませて背凭れ感を向上することが可能な背板を有する椅子を提供することを課題とする。
【課題を解決するための手段】
【０００７】
上記課題を解決すべく、本発明の請求項１に記載の発明は、脚の上部に支持された座の後方より上方に設けられる背フレームに、背板を取り付け支持する椅子であって、前記背板が、左右両側に下向き開口した筒部を有するとともに、前記背板の下部を楔形に下向き突出させ、前記背フレームが、前記背板の下部が嵌まり込む谷形に上向き拡開させた左右一対の支持杆を有し、該支持杆の上部を、前記筒部の開口より嵌挿するとともに、背板の楔形をなす下部の頂部を、前記谷形をなす支持杆の底部に固着したことを特徴とする、椅子である。
【０００８】
また、請求項２に記載の発明は、脚の上部に支持された座の後方より上方に設けられる背フレームに、背板を取り付け支持する椅子であって、前記背板が、左右両側に下向き開口した筒部を有するとともに、前記背板の下部を楔形に下向き突出させ、前記背フレームが、前記背板の下部が嵌まり込む谷形に上向き拡開させた左右一対の支持杆を有し、該支持杆の上部を、前記筒部の開口より嵌挿して固着するとともに、背板の楔形をなす下部の頂部を、前記谷形をなす支持杆の底部に固着したことを特徴とする、椅子である。
【０００９】
また、請求項３に記載の発明は、請求項１または２に記載の椅子において、前記背板の楔形をなす下部の頂部より下向きに延出した固着片を設け、前記背フレームにおける谷形をなす支持杆の底部の前面に当接させて固着したことを特徴とする。
【００１０】
また、請求項４に記載の発明は、請求項１乃至３に記載の椅子において、前記支持杆が円杆からなり、背板の楔形をなす下部の左右両側縁に沿って形成した窪みに支持杆の内側面が嵌まり込むようにしたことを特徴とする。
【００１１】
また、請求項５に記載の発明は、請求項１乃至４に記載の椅子であって、床面に固定されたベースから起立する支柱から、前記背フレームが延設され、前記支柱を、前記ベースに左右方向の枢軸をもって回動自在に軸支して、前記支柱を、前後方向へ傾倒自在に形成するとともに、座の傾倒により使用位置と不使用位置とに可変することを特徴とする、椅子である。
【発明の効果】
【００１２】
本発明の請求項１に記載の発明によれば、背板の上部の筒部に支持杆を嵌挿しただけで固着することもなく背フレームに取り付けられているので、筒部と支持杆が相対的に摺り動くなどして、小さな背板であっても背板の上方にかけて撓み量を大きくすることが可能であり、特に、最小限の支持で、背板を強固に支持することが可能である。これにより、着座者の背凭れ感が向上する効果があり、長時間快適に着座することが可能である。
【００１３】
また、請求項２に記載の発明によれば、左右の支持杆が互いに接近する方向などに撓み変形することで、小さな背板であっても背板の上方にかけて撓み量を大きくすることが可能であり、着座者の背凭れ感が向上する効果がある。これにより、長時間快適に着座することが可能である。
【００１４】
また、請求項３に記載の発明によれば、前記背板の楔形をなす下部の頂部より下向きに延出した固着片を設け、前記背フレームにおける谷形をなす支持杆の底部の前面に当接させて固着することにより、前方からの力が働いても背板がはずれにくく、強固に支持することが可能である。
【００１５】
また、請求項４に記載の発明によれば、円杆からなる支持杆を採用して、背板の楔形をなす下部の左右両側縁に沿って形成した窪みに支持杆の内側面が嵌まり込むように取り付けられており、これにより、背板を背フレームへと強固に支持することが可能であり、背板を好適に撓ませることが可能である。
【００１６】
また、請求項５に記載の発明によれば、支柱および座の傾倒により使用位置と不使用位置とに可変する椅子における背のスペース幅が限られた場合であっても、小さな背板の上方にかけて撓み量を大きくすることが可能であり、最小限の支持で、背板を強固に支持することが可能である。これにより、着座者の背凭れ感が向上する効果があり、長時間快適に着座することが可能である。
【発明を実施するための形態】
【００１７】
本発明の椅子１の背板３を有する椅子１の一例としては、図１に示すように、床面に固定されたベース５１に、左右方向の枢軸をもって回動自在に立設した支柱を前後方向へ傾倒自在に形成するとともに、支柱５２の下方および座の前方に軸支されたリンク５３を介して座３を傾倒させることにより、椅子が使用位置と不使用位置とに変形可能な椅子１である。すなわち、前記支柱５２の内部には、図示しないガススプリングが内装されており、座３の後方を常に上方へと付勢している。これにより、椅子を前傾させる構成であり、さらには、支柱５２の下方と座３の前方とをリンク５３で連結しており、座３の傾倒状態と水平状態との間で変形させる構成である。
【００１８】
特に、本発明の椅子は、脚５２（支柱５２）の上部に支持された座３の後方より上方に設けられる背フレーム５４に、背板２を取り付け支持する椅子１であって、前記背板２が、左右両側に下向き開口２４した筒部２５を有するとともに、前記背板２の下部を楔形に下向き突出させ、前記背フレーム５４が、前記背板２の下部が嵌まり込む谷形に上向き拡開させた左右一対の支持杆５５を有し、該支持杆５５の上部を、前記筒部２５の開口２４より嵌挿するとともに、背板２の楔形をなす下部の頂部を、前記谷形をなす支持杆５５の底部に固着することで、背板２の支持を簡略化しつつ、背板２を好適に撓ませることが可能である。これにより、小さな背板であっても背板の上方にかけて撓み量を大きくすることが可能であり、特に、最小限の支持で、背板を強固に支持することが可能である。これにより、着座者の背凭れ感が向上する効果があり、長時間快適に着座することが可能である。
【００１９】
以下に、本発明の椅子１について説明する。
本発明の椅子１は、図２に示すように、床面に固定されたベース５１に、左右の枢軸６１をもって、前後傾倒自在に支柱５２が立設されるとともに、支柱５２から後上方に略Ｙ字状の背フレーム５４が延設され、背フレーム５４の上端は２本の円杆からなる支持杆５５が立設される構成である。
【００２０】
前記背板２の形状は、上半分が略四角形をなし、下半分が略逆三角形の楔形をなしており、背板２の略全面に楕円形の開口が形成されている。また、背板２の縦方向にかけて複数のリブが形成されており、前記開口の左右にリブを形成することで、背板２の強度を保ちつつ撓みやすい背板形状となっている。
【００２１】
背板２の左右上方には、内部が筒状の開口２４を有する筒部２５を有しており、背板２の上方において、前記筒部２５の開口２４を前記背フレーム５４の支持杆５５へと挿通し、背板２の下端部分である楔形の下頂点に形成されたビス孔等２７を介して背フレーム５４のビス孔５７へと背板２を前面からビス等で固着する構成である。
【００２２】
特に、前記背板２の楔形をなす下部の頂部より下向きに延出した固着片２８を設け、前記背フレーム５４における谷形をなす支持杆５５の底部の前面に当接させて固着することにより、前方からの力か働いても背板２がはずれにくく、強固に支持することが可能である。
【００２３】
このようにして、背板２を背フレーム５４へと取り付けることが可能であり、特に、前記背板２は楔形をなす下部の左右両側縁に沿って窪み２９が形成されており、図３に示すように、円杆からなる支持杆５５へと、背板２の楔形をなす下部の左右両側縁に沿って形成した窪み２９に支持杆の内側面が嵌まり込むように取り付けられており、これにより、背板２を背フレーム５４へと強固に支持することが可能であり、背板２を好適に撓ませることが可能である。
【００２４】
すなわち、図４に示すように、着座者が背板２に凭れると、背板２の上方を支持する左右の筒部２５が支持杆５５に沿って内方へと回動することとなる（図中、点線矢印ａ）。これにより、背板２が後方へと大きく撓むことが可能であり（図中、点線）、さらには、背板２の下方を一点で支持することにより、背板２の下方にかけて幅狭い形状であっても、背板２の上方から下方にかけて好適に撓ませることが可能である。
【００２５】
また、本発明の椅子１は、図５に示すように、支持杆５５の上部を、前記筒部２５の開口２４より嵌挿してビス等で固着するとともに、背板２の楔形をなす下部の頂部を、前記谷形をなす支持杆５５の底部にそれぞれ固着する３点支持とすることで、背板２の支持を簡略化しつつ強固に支持することが可能であり、背板２を好適に撓ませることが可能である。
【００２６】
この場合の一例としては、図６に示すように、背板２の左右上方において、前記筒部２５の開口２４を前記背フレーム５４の支持杆５５へと挿通するとともに、背板２の筒部２５に形成されたビス孔２６を介して背フレーム５４の円杆５５に形成されたビス孔５６へと背板２の背面からビス等で固着する構成である。また、背板２の下端部分である楔形の下頂点に形成されたビス孔等２７を介して背フレーム５４のビス孔５７へと背板２を前面からビス等で固着する。
【００２７】
このようにして、背板２を背フレーム５４へと取り付けることが可能であり、特に、図７に示すように、背板２が下方にかけて楔形状をなしており、背フレーム５４の谷形状へと、背板２の上方と下方との計３点を固着して支持する構成である。これにより、少ない支持点でもって背板２を背フレーム５４へとより強固に支持することが可能であり、さらには、背板２の上方から下方にかけて好適に撓ませることが可能である。
【００２８】
すなわち、図８に示すように、着座者が背板２に凭れると、背板２を支持する左右の支持杆５５が、それぞれ内方へと撓みつつ変形することとなる（図中、点線矢印ｂ）。これにより、背板２が後方へと大きく撓むことが可能であり、背板２の上方から下方にかけて好適に撓ませることが可能である。さらには、背板２の三点で支持することにより、背フレーム５４へと背板２を強固に支持することが可能である。
【００２９】
通常、支柱が傾倒することで、椅子の収納状態と使用状態とに変形することが可能な可動椅子は、複数の椅子を並べた状態で予め椅子を固定して用いるため、椅子の幅が制限されている。このため、長時間、同じ姿勢で着座する際には、背板の背凭れ感を向上させることが望ましく、小さい背板であっても背凭れ感が良好な背板を提供することが望まれている。
【００３０】
これに対して、本発明の椅子１は、図９に示すように、椅子１が前傾する収納状態から、後傾させて引き出し、座３を下降させることで、支柱５２の下方および座３の前方に軸支されたリンク５３を介して座３が水平の着座状態となる可動椅子１において、限られた椅子１のスペース幅内で、最小限の支持で背板２を強固に支持しつつ、比較的小さな背板２であっても背板２の上方から下方にかけて幅広い範囲（図中点線部分）で好適に撓ませることが可能である。これにより、椅子１の背凭れ感を大幅に向上することが可能であり、長時間快適に着座することが可能である。
【００３１】
以上のように、本発明の椅子１は、脚５２の上部に支持された座３の後方より上方に設けられる背フレーム５４に、背板２を取り付け支持する椅子１であって、前記背板２が、左右両側に下向き開口２４した筒部２５を有するとともに、前記背板２の下部を楔形に下向き突出させ、前記背フレーム５４が、前記背板２の下部が嵌まり込む谷形に上向き拡開させた左右一対の支持杆５５を有し、該支持杆５５の上部を、前記筒部２５の開口２４より嵌挿し又は固着するとともに、背板２の楔形をなす下部の頂部を、前記谷形をなす支持杆５５の底部に固着することにより、背板２の撓み量を大きくすることが可能であり、最小限の支持で背板２を強固に支持することが可能である。これにより、着座者の背凭れ感が向上する効果があり、長時間快適に着座することが可能である。
【００３２】
上記例では、床面に固定されたベース５１から起立する支柱５２から、前記背フレーム５４が延設され、前記支柱５２を、前記ベース５１に左右方向の枢軸をもって回動自在に軸支して、前記支柱５２を、前後方向へと傾倒自在に形成するとともに、座３の傾倒により使用位置と不使用位置とに可変する椅子１の例を示したが、これに限らず、通常の座と背を有する椅子であってもよく、上記例に限定されるものではない。
【図面の簡単な説明】
【００３３】
【図１】本発明の椅子を示す（ａ）略背面斜視図（ｂ）略正面斜視図である。
【図２】椅子の背板の取り付けを示す略正面視説明図である。
【図３】本発明の椅子を示す正面図である。
【図４】本発明の椅子を示す説明図である。
【図５】本発明の椅子の別の例を示す（ａ）略背面斜視図（ｂ）略正面斜視図である。
【図６】椅子の背板の取り付けを示す略背面視説明図である。
【図７】本発明の椅子を示す正面図である。
【図８】本発明の椅子を示す説明図である。
【図９】椅子の収納状態および使用状態を示す側面視説明図である。
【符号の説明】
【００３４】
１  椅子
２  背板
３  座板
２４  開口
２５  筒部
２８  固着片
２９  窪み
５１  ベース
５２  支柱
５３  リンク
５４  背フレーム
５５  支持杆（円杆）
【図１】
2011125545.tif 000003
【図２】
2011125545.tif 000004
【図３】
2011125545.tif 000005
【図４】
2011125545.tif 000006
【図５】
2011125545.tif 000007
【図６】
2011125545.tif 000008
【図７】
2011125545.tif 000009
【図８】
2011125545.tif 000010
【図９】
2011125545.tif 000011